(57)【特許請求の範囲】
【請求項１】
環状のアウタライナと、これと同心状に配置された環状のインナライナとの間に環状の燃焼室が形成され、
前記各ライナの外壁部材と内壁部材の間に多数のピン部材が接合されて、前記外壁部材、内壁部材およびピン部材の間に冷却通路が形成され、
前記各部材は平板状態で接合されたものから曲げ加工されて、その両端部が突き合わせ接合されており、
この突き合せライン上およびその近傍に、前記ピン部材が存在しておらず、
前記突き合せライン上およびその近傍で前記外壁部材と内壁部材の間が充填部材により充填されており、
前記充填部材は、前記アウタライナおよびインナライナを形成する相対向する内外一対のプレート間に嵌め込まれた中子を除去する工程における化学処理で除去されない材料で形成された部材である、
ガスタービン燃焼器。
【請求項２】
請求項１において、前記ピン部材が三角柱形状または円柱形状であるガスタービン燃焼器。
【請求項３】
請求項１の燃焼器を製造する方法であって、
前記アウタライナおよびインナライナを形成する相対向する内外一対のプレート間に多数のピン部材と前記ピン部材が設定空所に嵌め込まれた中子とを挟む重合工程と、
前記ピン部材および中子とともに前記両プレートを接合して壁基材を作成する第１接合工程と、
前記壁基材を扇形状に切断する切断工程と、
切断された壁基材を環状に曲げて両端部を接合する第２接合工程と、
前記中子を化学的処理で除去する中子除去工程とを備え、
前記重合工程において、前記切断工程での切断予定ライン上およびその近傍に前記ピン部材を配置せず、
前記重合工程で前記中子とともに、その外周を取り囲み前記中子除去工程での化学的処理で除去されないフレームを挟み込み、前記切断工程で前記フレームの一部が前記基材の切断された両端部に残留するように基材を切断する
ガスタービン燃焼器の製造方法。
【発明の詳細な説明】
【技術分野】
【０００１】
本発明は、ジェットエンジンまたはガスタービンエンジンの燃焼器（以下、ガスタービン燃焼器という）に関し、詳しくは二重壁の間に冷却空気が流れる冷却通路を設けた二重壁冷却型のガスタービン燃焼器の冷却構造およびその製造方法に関する。
【背景技術】
【０００２】
この種のガスタービン燃焼器として広く用いられているアニュラー型燃焼器では、環状のアウタライナと、これと同心状に配置された環状のインナライナとの間に環状の燃焼室が形成された構造となっており、前記各ライナは二重構造となる外壁部材と内壁部材の間に多数のピン部材が接合されて前記外壁部材と内壁部材の間に冷却通路が形成されている。圧縮機からの空気を前記外壁部材に設けた空気孔から前記冷却通路に導入して、対流冷却によりライナを冷却し、つづいて内壁部材に設けた空気孔から前記燃焼室内に空気を導出させて、内壁部材の内面に空気の流れの層を形成してフィルム冷却を行うようになっている（例えば特許文献１および２）。
【特許文献１】特許第３４８８９０２号
【特許文献２】特公平７−８１７０８号
【発明の開示】
【発明が解決しようとする課題】
【０００３】
前記外壁部材と内壁部材を持つ二重構造による冷却構造の燃焼器は、例えば前記特許文献２のように、外壁部材とピン部材と内壁部材とを重ねて二次元連通状に接合した平板状の壁基材を、環状のインナライナおよびアウタライナの形状となるように曲げ加工し、その両端部を突き合せて溶接もしくはろう付けすることで所定の形状に形成するため、次のような課題がある。第１に、両ライナはいずれも、単純な円筒形ではなく、軸心に沿って直径が変化する複雑な形状であることから、前記平板状の壁基材を例えば扇形に切断しながら曲げ加工されるが、その場合、扇形の切断片の両端部ではピン部材が存在する部位と存在しない部位とが混在してしまう。このため、両端部同士を突き合せて溶接すると、ピン部材が存在する部位とピン部材が存在しない部位とで溶接の強度および品質に差が生じ、品質保証、耐久性確保の面で課題があった。第２に、前記溶接強度の差の軽減を図るべく、熟練の作業者が必要となるばかりか、Ｔｉｇ溶接による極めて精度の高い溶接技術を駆使しなければならず、電子ビーム溶接による自動化が図れないので、燃焼器の生産性が低い。
【０００４】
本発明の目的は、溶接部位の強度および品質ならびに生産性の向上を実現できる二重壁冷却型のガスタービン燃焼器およびその製造方法を提供することにある。
【課題を解決するための手段】
【０００５】
前記した目的を達成するために、本発明にかかるガスタービン燃焼器は、環状のアウタライナと、これと同心状に配置された環状のインナライナとの間に環状の燃焼室が形成され、前記各ライナの外壁部材と内壁部材の間に多数のピン部材が接合されて、前記外壁部材、内壁部材およびピン部材の間に冷却通路が形成され、前記各部材は平板状態で接合されたものから曲げ加工されて、その両端部が突き合わせ接合されており、この突き合せライン上およびその近傍に、前記ピン部材が存在しておらず、前記冷却通路が形成されている。
【０００６】
この構成によれば、突き合せ接合される両端部における突き合せラインおよびその近傍にピン部材が存在しないから、均一な接合を阻害する要因がないので、通常の平板同士の溶接と比べて遜色のない、均一で高いレベルの接合強度および接合品質を得ることができ、燃焼器の耐久性が向上する。接合が溶接による場合であれば、熟練者でなくとも均一で高品質の溶接を行うことができるから、生産性が向上する。また、電子ビーム溶接による自動化も可能になるので、一層の生産性向上を実現できる。
【０００７】
前記ピン部材は、例えば三角柱形状または円柱形状である。ピン部材が三角柱形状であると、前記外壁部材と内壁部材の間に形成される冷却通路を冷却空気がスムースに流れる形状に形成しやすく、各ライナの冷却効率が高まり、燃焼器の耐久性が向上する。また、ピン部材が円柱形状であると、外壁部材と内壁部材の間に接合されるピン部材の方向性に制限がないので、ピン部材を配置しやすく、燃焼器の生産性が向上する。
【０００８】
本発明において、前記突き合せライン上およびその近傍で前記外壁部材と内壁部材の間が充填部材により充填されていてもよい。充填部材が充填されることで前記突き合せライン上およびその近傍が均一な中実構造となる。したがって、溶接などによる接合に際し、溶接しやすいとともに、通常の平板同士の溶接と比べて遜色のない、均一で高いレベルの接合強度および接合品質を得ることができる結果、燃焼器の耐久性が向上する。
【０００９】
本発明におけるガスタービン燃焼器の製造方法は、本発明に係る前記燃焼器を製造する方法であって、前記アウタライナおよびインナライナを形成する相対向する内外一対のプレート間に多数のピン部材と前記ピン部材が設定空所に嵌め込まれた中子とを挟む重合工程と、前記ピン部材および中子とともに前記両プレートを接合して壁基材を作成する第１接合工程と、前記壁基材を扇形状に切断する切断工程と、切断された壁基材を環状に曲げて両端部を接合する第２接合工程と、前記中子を化学的処理で除去する中子除去工程とを備え、前記重合工程において、前記切断工程での切断予定ライン上およびその近傍に前記ピン部材を配置しない。
【００１０】
この構成によれば、切断予定ライン上およびその近傍にピン部材が存在しないため、所定形状に切断された壁基材を環状に曲げて接合する際、通常の平板同士の接合と比べて遜色のない接合部の強度および品質が得られ、燃焼器の耐久性が向上する。また、接合作業が容易になり、電子ビーム溶接を用いた自動化も可能になるので、燃焼器の生産性を向上させることができる。
【００１１】
本発明の方法において、好ましくは、前記重合工程の前に、前記中子における前記切断予定ライン上およびその近傍を避けて前記設定空所を形成する。これにより、前記切断予定ライン上およびその近傍にピン部材が存在しない構造にできるので、切断された壁基材の両端部を接合する際に、接合ラインに沿ってピン部材が間欠的に存在することがないから、例えば溶接により接合する場合、ピン部材の部分的な存在による溶接の強度および品質の低下を防止でき、工程の複雑化も招かない。また、両面溶接を用いることにより、接合部が溶接ビードで完全に埋まらない構造にできるので、接合部に冷却通路を確保できる。したがって、接合部も十分に冷却されるので、冷却効率に優れた燃焼器を得ることができる。この方法は、量産時のように予め切断予定ラインＨが決まっている場合に有効である。
【００１２】
本発明の方法において、前記重合工程で前記切断予定ライン上およびその近傍の設定空所に、前記中子除去工程の化学的処理で除去されるダミー部材を嵌め込んでもよい。ダミー部材は中子とともに化学的処理で除去されるから、結果的にピン部材が存在しないので、やはり、場所的に均一で高いレベルの接合強度および接合品質が得られる。この方法は、試作段階のように、切断予定ラインが流動的である場合に有効である。つまり、設定空所を中子の全体に所定の分布で配置しておき、突き合せラインおよびその近傍に設けるピン部材のみを、前記ダミー部材とすることで、種々の形状の燃焼器に対応できる。
【００１３】
また、本発明において、前記重合工程で前記中子とともに、その外周を取り囲み前記中子除去工程での化学的処理で除去されないフレームが挟み込まれ、前記切断工程で前記フレームの一部が前記壁基材の切断された両端部に残留するように壁基材を切断するようにしてもよい。これにより、前記両端部に残留する化学的処理で除去されないフレームの一部では中実構造となるため、やはり、接合強度および接合品質が高くなる。
【発明の効果】
【００１４】
本発明によれば、突き合せ接合される両端部における突き合せラインおよびその近傍にピン部材が存在しないから、均一な接合を阻害する要因がないので、通常の平板同士の溶接と比べて遜色のない、均一で高いレベルの接合強度および接合品質を得ることができ、燃焼器の耐久性が向上する。また、接合が溶接による場合であれば、熟練者でなくとも均一で高品質の溶接を行うことができ、しかも、電子ビーム溶接による自動化も可能になるので、生産性の向上を実現できる。
【発明を実施するための最良の形態】
【００１５】
以下、本発明の好ましい実施形態について図面を参照しながら説明する。図１は、本発明の第１実施形態に係るガスタービンエンジンの燃焼器１の頭部を示している。この燃焼器１は、ガスタービンエンジンの図示しない圧縮機から供給される圧縮空気に燃料を混合して生成した混合気を燃焼させて、その燃焼により発生する高温・高圧の燃焼ガスをタービンに送ってタービンを駆動するものである。
【００１６】
燃焼器１はガスタービンエンジンの軸心Ｃと同心のアニュラー型であり、環状のアウタケーシング７の内側に環状のインナケーシング８が同心状に配置されて、環状の内部空間を有するハウジング６を構成している。このハウジング６の環状の内部空間には、環状のアウタライナ１０の内側に環状のインナライナ１１が同心状に配置されてなる燃焼筒９が、燃焼装置ハウジング６と同心円状に配置されている。燃焼筒９は内部に環状の燃焼室１２を形成しており、この燃焼筒９の頂壁９ａに、燃焼室１２内に燃料を噴射する複数（この実施形態では１４個）の燃料噴射器２が、燃焼筒９と同心の単一の円上で、周方向に等間隔に並んで配設されている。各燃料噴射器２は、燃料噴霧部３と、この燃料噴霧部３の外周を囲むように燃料噴霧部３と同心状に設けられて、圧縮空気を旋回流として燃焼室１２内に導入するスワーラ４とを備えている。燃焼器１の下部には２本の点火栓６３が配置されている。
【００１７】
図２は図１のII−II線に沿った縦断面図である。ハウジング６の環状の内部空間には、図示しない圧縮機から送給される圧縮空気ＣＡが、環状のディフューザ１４を介して導入される。燃焼筒９にはその前部を覆うカウル２１が固定されている。ディフューザ１４から導入された圧縮空気ＣＡは、カウル２１に設けた開口２１ａを介して燃料噴射器２に供給されるとともに、カウル２１によって燃焼筒９の外側に導かれて、燃焼筒９のアウタライナ１０およびインナライナ１１にそれぞれ複数形成された希釈用空気導入口１７から燃焼室１２内に供給される。燃焼室１２の縦断面の中心線Ｃ１は、図１のエンジン軸心Ｃに対して若干前下がりに傾斜している。その結果、アウタライナ１０とインナライナ１１は平面に展開したとき、扇形になる。図２の燃料噴射器２は、燃焼筒９の前部を形成するカウル２１に支持されており、燃焼筒９は図示しないステーにより、ハウジング６に支持されている。燃焼筒９の下流端部にはタービンの第１段ノズルＴＮが接続される。アウタケーシング７には、燃料噴射器２に燃料Ｆを供給する燃料配管ユニット１８が支持されている。
【００１８】
燃焼室１２を形成するアウタライナ１０およびインナライナ１１はそれぞれ、外壁部材１３と内壁部材１５との間に冷却通路２２を形成した二重壁構造となっている。外壁部材１３と内壁部材１５のそれぞれには、後述する空気孔１９が設けられており、圧縮空気ＣＡは、外壁部材１３の空気孔１９から冷却通路２２に導入され、内壁部材１５の空気孔１９から燃焼室１２に導出される。
【００１９】
図３〜図８は前記インナライナ１１の製造方法を示す。図３に示すように、まず、耐熱性材料で構成され、外壁部材１３となる平板状のプレート１３ａと、内壁部材１５となるプレート１５ａと、平板状の中子１７とを用意する。中子１７には、多数の貫通した設定空所１７ａが所定の分布で設けられており、作業用の台板２３上に載置されて、設定空所１７ａにピン部材１６が嵌め込まれている。この中子１７の上にプレート１３ａを載置し、上下反転させて台板２３を取り外し、中子１７上にプレート１５ａを重ねて、サンドイッチ状とする（重合工程）。前記ピン部材１６はレーザ加工法により形成されたもので例えば三角柱形状を有しているが、円柱形状であってもよい。設定空所１７ａもレーザ加工法により形成されており、ピン部材１６に対応した三角孔形状または円形孔形状である。
【００２０】
次に、図４に示すように、前記ピン部材１６および中子１７とともに前記両プレート１３ａ，１５ａの周辺部を、真空中で電子ビーム溶接により接合する。図中、符号１８は溶接ビードを示す。これを図５に示すように、高温（Ｔ）および高圧（Ｐ）の雰囲気にさらすＨＩＰ拡散接合法により接合する。これにより、各部材１３，１５，１６，１７が曲がりのない平板状態で接合一体化された壁基材２０を作成する（第１接合工程）。このＨＩＰ拡散接合法での処理条件は、１２００℃、１２００気圧、４時間とする。この処理条件は前記壁基材２０のサイズによって適宜変更される。
【００２１】
つづいて、前記壁基材２０を、図６に示すように、切断ラインＬに沿ってレーザトリミングにより所定形状、この場合、扇形に切断する（切断工程）。さらに、図７に示すように、切断した壁基材２０にドリルにより一定形状で配置される多数の空気孔１９を穿孔する。
【００２２】
扇状に切断された壁基材２０は、図８に示すように、プレス成形により環状に曲げ、両端部を突き合せて、その突き合せラインＬに沿って溶接またはろう付けにより接合する（第２接合工程）。その際、溶接またはろう付けされる接合部分の中子１７は、溶接またはろう付けと干渉する、突き合わせ面から１０〜１５ｍｍ程度の範囲にわたって、硝酸液中に所定時間浸漬する化学処理を行い、この接合部分の中子１７を除去しておく。これにより、溶接ビードに中子１７が巻き込まれて材料強度低下が生じることを回避する。
【００２３】
最後に、図９に示すように、プレス成形物の全体を硝酸液中に所定時間浸漬する化学的処理を行い、前記中子１７を溶解して除去する（中子除去工程）。ここで、外壁部材１３、内壁部材１５およびピン部材１６は、ＨＡ２３０、ＨＡ１８８やハステロイＸのように硝酸液浸漬のような化学的処理で溶出しない材料で形成され、中子１７は軟鋼のような溶出する材料で形成される。中子１７が完全に除去された後には、図１０に示すように、圧縮空気ＣＡの一部からなる冷却空気を流す冷却通路２２が形成される。このようにして、インナライナ１１が製造されるが、アウタライナ１０もこのインライナ１１と全く同様の工程を経て製造される。
【００２４】
図１１は前記インナライナ１１の一部破断斜視図を示す。アウタライナ１０の構成もインナライナ１１の構成と同様であるので、その説明は省略する。同図に示すように、このインナライナ１１は外壁部材１３と内壁部材１５との間に多数のピン部材１６が接合されることで、外壁部材１３と内壁部材１５との間に冷却通路２２が形成されている。外壁部材１３の表面には多数の空気孔１９が形成され、前記冷却通路２２に連通している。同様に、内壁部材１５の表面にも多数の空気孔１９が形成され、前記冷却通路２２と連通している。
【００２５】
したがって、前記外壁部材１３の孔２１と内壁部材１５の孔２１とは相互に連通状態にあり、冷却空気ＣＡが矢印ａで示すように、前記外壁部材１３の空気孔１９から冷却通路２２内に導入されて内壁部材１５の空気孔１９から導出されるようになっている。この過程で、インナライナ１１を構成する外壁部材１３と内壁部材１５とが前記冷却空気ＣＡにより対流冷却される。内壁部材１５の空気孔１９から導出された冷却空気ＣＡは、内壁部材１５の内表面に沿って流れることにより、内壁部材１５をフィルム冷却する。このようにして、インナライナ１１およびアウタライナ１０が冷却空気ＣＡで常時冷却されることで焼損を防止でき、燃焼器１自体の耐久性が向上する。
【００２６】
ここで、前記ピン部材１６が三角柱形状である場合、前記外壁部材１３と内壁部材１５との間に形成される冷却通路２２を冷却空気ＣＡがスムースに流れて、各ライナ１０，１１の冷却効率が高まり、燃焼器１の耐久性が向上する。ピン部材１６は円柱形状としてもよく、その場合、外壁部材１３と内壁部材１５との間は接合されるピン部材１６の方向性に制限がないので、ピン部材１６の配置が行い易くなり、燃焼器１（図２）の製造性が向上する。
【００２７】
図３に示した重合工程において、図６に示した切断工程での切断予定ラインＨ上およびその近傍に前記ピン部材１６を配置しないように配慮している。すなわち、図３の重合工程の前に、中子１７に設定空所１７ａを形成する際に、図１２に示すように、中子１７の設定空所１７ａを、第２接合工程での突き合せラインＬ（図８）を含む切断予定ラインＨの上およびその近傍を避けて設定空所１７ａを形成する。図１２の例では、切断予定ラインＨで囲まれた内側で、かつ切断予定ラインＨから一定以上離れた部分のみに設定空所１７ａを配置している。これにより、突き合せラインＬを含む切断予定ラインＨの上およびその近傍にピン部材１６が存在しないようにしている。なお、図１２のハッチングを施した部分は切断により除去される。
【００２８】
これにより、突き合せラインＬとなる中子１７の両端部１７ｂの溶接しろ２３は、ピン部材１６が存在しないから、図１３に示すような両面溶接を行う場合に、ピン部材１６が溶け込むことがなくなり、接合部が突き合せラインＬに沿って均質となって、接合強度および接合品質が向上する。したがって、図２の燃焼器１の耐久性が向上する。また、図１２の接合部が溶接ビード３０で完全に埋まらないため、中子除去工程（図９）後に、突き合せラインＬ上での溶接ビード３０間に冷却通路２２が確保される。したがって、接合部も十分冷却される。さらに、熟練者でなくとも均一で高品質の溶接が行えるので生産性に優れ、電子ビーム溶接による自動化を図ることで、さらに生産性を向上させることができる。
【００２９】
図１２の方法に代えて、設定空所１７ａを、図３に示したとおり、中子１７の全体に所定の分布で配置しておき、図１２の切断予定ラインＨの上およびその近傍に位置する設定空所１７ａにはピン部材１６を嵌め込まないで、これを空所のまま残しておくことも考えられるが、こうすると、図５に示した拡散接合の際に、空所の部分が圧潰して壁基材２０の平坦な形状を維持できなくなる場合がある。図１２の方法によれば、中子１７の設定空所１７ａのすべてにピン部材１６が嵌め込まれるから、図５の壁基材２０の内部に空所が存在しないので、壁基材２０の平坦な形状を維持できる。
【００３０】
図１２の方法は、量産時のように予め切断予定ラインＨが決まっている場合に有効であるが、試作段階のように、切断予定ラインＨが流動的である場合、図１４に示す第２実施形態が有効である。すなわち、設定空所１７ａを中子１７の全体に所定の分布で配置しておき、突き合せラインＬおよびその近傍に設けるピン部材１６のみを、中子１７の除去時に溶出する軟鋼のような材料で構成されたダミー部材１６Ａとする。これにより、硝酸液中への浸漬のような化学的処理により前記ダミー部材１６Ａが溶出して存在しなくなり、やはり、接合強度および接合品質が向上し、生産性にも優れる。このような構成を採用することで、図１３に示すような両面溶接を行うことが可能で、第１実施形態の場合と同様、突き合せラインＬ上での溶接ビード３０間に冷却通路２２が確保される。
【００３１】
図１５は第３実施形態を示すもので、予め、中子１７を切断予定ラインＨよりも若干小さく形成しておき、その外周を取り囲むようにフレーム２５を設ける。このフレーム２５は、中子除去工程（図８）において硝酸液浸漬のような化学的処理で除去されない材料で形成されている。したがって、図８の切断工程において、切断予定ラインＨに沿って壁基材２０を切断したとき、中子１７の周辺部にフレーム２５の一部が残留する。その結果、中子１７の両端部１７ｂの溶接しろ２３がフレーム２５の一部によって形成される。これにより、図１６に示すように、突き合せラインＬ上およびその近傍で、外壁部材１３と内壁部材１５の間が、フレーム２５の一部からなる充填部材２８により充填されるので、この部分が中実構造となる。したがって、図示のような片側貫通溶接を行うことで、接合部が突き合せラインＬに沿って均質となり、接合強度および接合品質が向上する。また、片側貫通溶接ができるから、溶接しやすいとともに、電子ビーム溶接による自動化も可能になる。
【図面の簡単な説明】
【００３２】
【図１】本発明の第１実施形態に係るガスタービンエンジンの燃焼装置を示す概略正面図である。
【図２】図１のII‐II線に沿った拡大断面図である。
【図３】インナライナの製造方法を示す壁基材の分解斜視図である。
【図４】重合工程後の電子ビーム溶接により接合した状態を示す斜視図である。
【図５】ＨＩＰ拡散接合法により一体化された壁基材を作成する第１接合工程を示す斜視図である。
【図６】壁基材を扇形に切断する切断工程を示す平面図である。
【図７】壁基材に空気孔を形成する孔開け工程を示す斜視図である。
【図８】プレス成形により環状に曲げ、両端部を溶接やろう付けにより接合する第２接合工程を示す斜視図である。
【図９】プレス成形物を硝酸液中に所定時間浸漬する化学的処理に付して、前記中子を溶解して除去する中子除去工程を示す斜視図である。
【図１０】中子除去工程後のインナライナの一部拡大斜視図である。
【図１１】インナライナの一部破断斜視図である。
【図１２】第１実施形態における切断予定ラインおよびその近傍でのピン部材の設定状態を示す平面図である。
【図１３】突き合せラインでの両面溶接を説明する要部断面図である。
【図１４】第２実施形態における切断予定ラインおよびその近傍でのピン部材の設定状態を示す平面図である。
【図１５】第３実施形態における切断予定ラインおよびその近傍でのピン部材の設定状態を示す平面図である。
【図１６】突き合せラインでの片側貫通溶接を説明する要部断面図である。
【符号の説明】
【００３３】
１  燃焼器
１０  アウタライナ
１１  インライナ
１２  燃焼室
１３  外壁部材
１５  内壁部材
１３ａ，１５ａ  プレート
１６  ピン部材
１７  中子
１７ａ  設定空所
１７ｂ  両端部
１９  空気孔
２３  溶接しろ
２５  フレーム
２８  充填部材
Ｈ  切断予定ライン
Ｌ，Ｌ  突き合せライン
【図１】
0004768763.tif 000002
【図２】
0004768763.tif 000003
【図３】
0004768763.tif 000004
【図４】
0004768763.tif 000005
【図５】
0004768763.tif 000006
【図６】
0004768763.tif 000007
【図７】
0004768763.tif 000008
【図８】
0004768763.tif 000009
【図９】
0004768763.tif 000010
【図１０】
0004768763.tif 000011
【図１１】
0004768763.tif 000012
【図１２】
0004768763.tif 000013
【図１３】
0004768763.tif 000014
【図１４】
0004768763.tif 000015
【図１５】
0004768763.tif 000016
【図１６】
0004768763.tif 000017